(57)【要約】【課題】運転開始後早期に、快適な室内環境の実現を可能にする空気調和機を提供することである。【解決手段】本発明の空気調和機１は、受付部と、判断部と、調整部とを備える。受付部は、利用者の要求を受け付ける。判断部は、室内の温度および室内の湿度が、温度の目標値である目標温度値および湿度の目標値である目標湿度値にそれぞれ到達しているか否かを判断する。調整部は、受付部で受け付けた利用者の要求に応じて目標温度値および目標湿度値を設定し、室内の湿度と目標湿度値との関係に基づき、目標温度値を前記目標温度値の近傍で調整する第１調整処理を行う。また、調整部は、室内の湿度と目標湿度値との関係が一定の範囲より遠い第１関係のときに、目標温度値を、補正した目標温度値である超過温度値に一時的に変更し、その後、室内の湿度と目標湿度値との関係が一定の範囲より近い第２関係のとき、目標温度値を、超過温度値から補正前の値に戻す。【選択図】図１
2010121933.tif 000002
【特許請求の範囲】
【請求項１】
利用者の要求を受け付ける受付部と、
室内の温度および室内の湿度が、温度の目標値である目標温度値および湿度の目標値である目標湿度値にそれぞれ到達しているか否かを判断する判断部と、
前記受付部で受け付けた利用者の要求に応じて前記目標温度値および前記目標湿度値を設定し、前記室内の湿度と前記目標湿度値との関係に基づき、前記目標温度値を前記目標温度値の近傍で調整する第１調整処理を行う調整部と
を備え、
前記調整部は、
前記室内の湿度と前記目標湿度値との関係が一定の範囲より遠い第１関係のときに、前記目標温度値を、補正した前記目標温度値である超過温度値に一時的に変更し、その後、前記室内の湿度と前記目標湿度値との関係が一定の範囲より近い第２関係のとき、前記目標温度値を、前記超過温度値から補正前の値に戻す、
空気調和機。
【請求項２】
暖房運転モードでの運転が可能であり、
前記超過温度値は、前記暖房運転モードの時、補正前の前記目標温度値よりも高い温度である、
請求項１に記載の空気調和機。
【請求項３】
冷房運転モードでの運転が可能であり、
前記超過温度値は、前記冷房運転モードの時、補正前の前記目標温度値よりも低い温度である、
請求項１または２に記載の空気調和機。
【請求項４】
前記目標湿度値および前記目標温度値は、前記運転モードに基づいて決定される、
請求項２または３に記載の空気調和機。
【請求項５】
前記室内の湿度を検知する室内湿度検知手段をさらに備える、
請求項１から４のいずれかに記載の空気調和機。
【請求項６】
圧縮機と、室外熱交換器と、室内熱交換器と、前記室内熱交換器の温度を検知する温度検知手段と、前記室内の湿度を推定する推定部と、をさらに備え、
前記推定部は、前記運転モードが冷房運転モードあるいは除湿運転モードの場合に前記温度検知手段が検知する前記室内熱交換器の温度に基づいて前記室内の湿度を推定する、
請求項１から４のいずれかに記載の空気調和機。
【請求項７】
利用者の要求を受け付ける受付部と、
室内の温度および室内の湿度が、温度の目標値である目標温度値および湿度の目標値である目標湿度値にそれぞれ到達しているか否かを判断する判断部と、
前記受付部で受け付けた利用者の要求に応じて前記目標温度値および前記目標湿度値を設定し、前記室内の温度と前記目標温度値との関係に基づき、前記目標湿度値を前記目標湿度値の近傍で調整する第２調整処理を行う調整部と
を備え、
前記調整部は、
前記室内の温度と前記目標温度値との関係が一定の範囲より遠い第１関係のときに、前記目標湿度値を、補正した前記目標湿度値である超過湿度値に一時的に変更し、その後、前記室内の温度と前記目標温度値との関係が一定の範囲より近い第２関係のとき、前記目標湿度値を、前記超過湿度値から補正前の値に戻す、
空気調和機。
【請求項８】
暖房運転モードでの運転が可能であり、
前記超過湿度値は、前記暖房運転モードの時、補正前の前記目標湿度値よりも高い湿度である、
請求項７に記載の空気調和機。
【請求項９】
冷房運転モードでの運転が可能であり、
前記超過湿度値は、前記冷房運転モードの時、補正前の前記目標湿度値よりも低い湿度である、
請求項７または８に記載の空気調和機。
【請求項１０】
前記目標湿度値および前記目標温度値は、前記運転モードに基づいて決定される、
請求項８または９に記載の空気調和機。
【請求項１１】
前記室内の湿度を検知する室内湿度検知手段をさらに備える、
請求項７から１０のいずれかに記載の空気調和機。
【請求項１２】
圧縮機と、室外熱交換器と、室内熱交換器と、前記室内熱交換器の温度を検知する温度検知手段と、前記室内の湿度を推定する推定部と、をさらに備え、
前記推定部は、前記運転モードが冷房運転モードあるいは除湿運転モードの場合に前記温度検知手段が検知する前記室内熱交換器の温度に基づいて前記室内の湿度を推定する、
請求項７から１０のいずれかに記載の空気調和機。
【発明の詳細な説明】
【技術分野】
【０００１】
本発明は、空気調和機に関する。
【背景技術】
【０００２】
従来、室内の温度や湿度等を制御することにより快適な空調環境を維持することを目的とする空気調和機が提供されている（例えば、特許文献1特開平４−３２０７５０号公報等）。
【発明の概要】
【発明が解決しようとする課題】
【０００３】
ところで、このような空気調和機を用いて所望の温度や湿度の空調環境を得ようとした場合、運転開始後すぐに温度および湿度の双方を目標値に到達させることは困難であるため、利用者が室内で快適性を得るまでには相当な時間がかかる。
【０００４】
そこで、本発明の課題は、温度および湿度の双方に基づく体感の快適性を早期に得ることができる空気調和機を提供することにある。
【課題を解決するための手段】
【０００５】
第１発明に係る空気調和機は、受付部と、判断部と、調整部とを備える。受付部は、利用者の要求を受け付ける。判断部は、室内の温度および室内の湿度が、温度の目標値である目標温度値および湿度の目標値である目標湿度値にそれぞれ到達しているか否かを判断する。調整部は、受付部で受け付けた利用者の要求に応じて目標温度値および目標湿度値を設定する。また、調整部は、室内の湿度と目標湿度値との関係に基づき、目標温度値を目標温度値の近傍で調整する第１調整処理を行う。さらに、調整部は、室内の湿度と目標湿度値との関係が一定の範囲より遠い第１関係のときに、目標温度値を、補正した目標温度値である超過温度値に一時的に変更し、その後、室内の湿度と目標湿度値との関係が一定の範囲より近い第２関係のとき、目標温度値を、超過温度値から補正前の値に戻す。
【０００６】
これにより、温度および湿度の双方に基づく体感の快適性を早期に得ることができる。
【０００７】
第２発明に係る空気調和機は、第１発明に係る空気調和機であって、暖房運転モードでの運転が可能である。また、超過温度値は、暖房運転モードの時、補正前の目標温度値よりも高い温度である。
【０００８】
第３発明に係る空気調和機は、第１または第２発明に係る空気調和機であって、冷房運転モードでの運転が可能である。また、超過温度値は、冷房運転モードの時、補正前の目標温度値よりも低い温度である。
【０００９】
第４発明に係る空気調和機は、第２または第３発明に係る空気調和機であって、目標湿度値および目標温度値は、運転モードに基づいて決定される
本発明に係る空気調和機では、運転モードに応じた目標温度値および目標湿度値で制御が行われる。
【００１０】
これにより、各運転モードで快適な空調環境を実現することができる。
【００１１】
第５発明に係る空気調和機は、第１から第４発明のいずれかに係る空気調和機であって、室内湿度検知手段をさらに備える。室内湿度検知手段は、室内の湿度を検知する。
【００１２】
本発明に係る空気調和機では、室内湿度検知手段によって検知された湿度が目標湿度値と比較される。ここで、室内湿度検知手段とは、例えば、室内熱交換器の温度に基づいて湿度を推定する手段あるいは湿度センサなどである。
【００１３】
これにより、把握した湿度を調整し、快適な空調環境を実現することができる。
【００１４】
第６発明に係る空気調和機は、第１から第４発明のいずれかに係る空気調和機であって、圧縮機と、室外熱交換器と、室内熱交換器と、温度検知手段と、推定部と、をさらに備える。温度検知手段は、室内熱交換器の温度を検知する。推定部は、室内の湿度を推定する。さらに、推定部は、運転モードが冷房あるいは除湿の場合に温度検知手段が検知した室内熱交換器の温度に基づいて室内の湿度を推定する。
【００１５】
本発明に係る空気調和機では、室内熱交換器の温度に基づいて推定された湿度と目標湿度値とが比較される。
【００１６】
これにより、空気調和機に湿度センサを備えていなくても、湿度を考慮した快適な空調環境を実現することができる。
【００１７】
第７発明に係る空気調和機は、受付部と、判断部と、調整部とを備える。受付部は、利用者の要求を受け付ける。判断部は、室内の温度および室内の湿度が、温度の目標値である目標温度値および湿度の目標値である目標湿度値にそれぞれ到達しているか否かを判断する。調整部は、受付部で受け付けた利用者の要求に応じて目標温度値および目標湿度値を設定する。また、調整部は、室内の温度と目標温度値との関係に基づき、目標湿度値を目標湿度値の近傍で調整する第２調整処理を行う。さらに、調整部は、室内の温度と目標温度値との関係が一定の範囲より遠い第１関係のときに、目標湿度値を、補正した目標湿度値である超過湿度値に一時的に変更し、その後、室内の温度と目標温度値との関係が一定の範囲より近い第２関係のとき、目標湿度値を、超過湿度値から補正前の値に戻す。
【００１８】
これにより、温度および湿度の双方に基づく体感の快適性を早期に得ることができる。
【００１９】
第８発明に係る空気調和機は、第７発明に係る空気調和機であって、暖房運転モードでの運転が可能である。また、超過温度値は、暖房運転モードの時、補正前の目標温度値よりも高い温度である。
【００２０】
第９発明に係る空気調和機は、第７または第８発明に係る空気調和機であって、冷房運転モードでの運転が可能である。また、超過温度値は、冷房運転モードの時、補正前の目標温度値よりも低い温度である。
【００２１】
第１０発明に係る空気調和機は、第８または第９発明に係る空気調和機であって、目標湿度値および目標温度値は、運転モードに基づいて決定される
本発明に係る空気調和機では、運転モードに応じた目標温度値および目標湿度値で制御が行われる。
【００２２】
これにより、各運転モードで快適な空調環境を実現することができる。
【００２３】
第１１発明に係る空気調和機は、第７から第１０発明のいずれかに係る空気調和機であって、室内湿度検知手段をさらに備える。室内湿度検知手段は、室内の湿度を検知する。
【００２４】
本発明に係る空気調和機では、室内湿度検知手段によって検知された湿度が目標湿度値と比較される。ここで、室内湿度検知手段とは、例えば、室内熱交換器の温度に基づいて湿度を推定する手段あるいは湿度センサなどである。
【００２５】
これにより、把握した湿度を調整し、快適な空調環境を実現することができる。
【００２６】
第１２発明に係る空気調和機は、第７から第１０発明のいずれかに係る空気調和機であって、圧縮機と、室外熱交換器と、室内熱交換器と、温度検知手段と、推定部と、をさらに備える。温度検知手段は、室内熱交換器の温度を検知する。推定部は、室内の湿度を推定する。さらに、推定部は、運転モードが冷房あるいは除湿の場合に温度検知手段が検知した室内熱交換器の温度に基づいて室内の湿度を推定する。
【００２７】
本発明に係る空気調和機では、室内熱交換器の温度に基づいて推定された湿度と目標湿度値とが比較される。
【００２８】
これにより、空気調和機に湿度センサを備えていなくても、湿度を考慮した快適な空調環境を実現することができる。
【発明の効果】
【００２９】
第１から第３発明および第７から第９発明に係る空気調和機では、温度および湿度の双方に基づく体感の快適性を早期に得ることができる。
【００３０】
第４および第１０発明に係る空気調和機では、各運転モードで快適な空調環境を実現することができる。
【００３１】
第５および第１１発明に係る空気調和機では、把握した湿度を調整し、快適な空調環境を実現することができる。
【００３２】
第６および第１２発明に係る空気調和機では、空気調和機に湿度センサを備えていなくても、湿度を考慮した快適な空調環境を実現することができる。
【図面の簡単な説明】
【００３３】
【図１】本実施形態に係る空気調和機の全体外観図である。
【図２】本実施形態に係る室内機および室外空調ユニットの冷媒回路の構成と、加湿ユニットの構成と、空気流れとを示す図である。
【図３】本実施形態に係る空気調和機の制御ブロック図である。
【図４】省エネ自動運転モード選択時のモード判定を示す図である。
【図５Ａ】暖房時の湿度および温度の関係を示す図である。
【図５Ｂ】冷房および除湿時の湿度および温度の関係を示す図である。
【図６Ａ】省エネ自動運転モードで暖房運転が行われた際の処理の流れを示す図である。
【図６Ｂ】省エネ自動運転モードで冷房運転が行われた際の処理の流れを示す図である。
【発明を実施するための形態】
【００３４】
（１）空気調和機１の概略構成
本発明の一実施形態に係る空気調和機１の外観を図１に示す。空気調和機１は、主として、室内の壁面に取り付けられる室内機２と、室外に設置される室外機３とから構成されており、室外機２および室外機３は専用の通信線を用いて信号の授受を行っている。室外機３は、室外空調ユニット５と、加湿ユニット４とから構成されている。室外空調ユニット５は、冷媒配管３１，３２を介して室内機２と接続されており、室外空調ユニット５と室内機２とは後述する冷媒回路を構成する。加湿ユニット４は、給気管６を介して室内機２と接続されており、加湿ユニット４に取り込まれた外気は給気管６を通って室内機２へと送られる。
【００３５】
空気調和機１は、各種の運転モード、例えば、冷房運転モード、暖房運転モード、除湿運転モード、および省エネ自動運転モード等を備え、ユーザーからの要求に応じた快適な室内環境を生成する。本実施形態において、省エネ自動運転モードとは、快適性を十分に得ることができ、かつ、省エネルギー効率のよい制御が行われるように、目標温度値、目標湿度値、風向き、および風量等が予め定められているモードである。省エネ自動運転モードは、冷房期または暖房期に応じて予め定められた目標温度値および目標湿度値等で空気調和機１を制御する。なお、冷房期では除湿運転または冷房運転（除湿冷房運転）が行われ、暖房期では、暖房運転（加湿暖房運転）が行われる。
【００３６】
（１−１）室内機２および室外空調ユニット５
図２に、室内機２および室外空調ユニット５の冷媒回路図を示す。以下、図２および図３を用いて、室内機２と、室外空調ユニット５の構成について説明する。
【００３７】
（ｉ）室内機２
室内機２は、主として、室内熱交換器２１と、クロスフローファン２２と、室内ファンモータ２３と、を備える。室内熱交換器２１は、長手方向両端で複数回折り返されてなる伝熱管と、伝熱管が挿通される複数のフィンとからなり、接触する空気との間で熱交換を行う。室内熱交換器２１は、冷房運転時には蒸発器として機能し、室内熱交換器２１に接触した室内の空気の温度を低下させる。また、室内熱交換器２１に接触した空気中の水分は水滴となり室内熱交換器２１の下方に設けられたドレンパン（図示せず）に滴下する。そのため、室内に排出される空気の湿度も低下する。一方、暖房運転時には、室内熱交換器２１は凝縮器として機能する。これにより、室内熱交換器２１に接触して暖められた空気が室内に送られる。クロスフローファン２２は、円筒形状に構成され、周面には多数の羽根が設けられている。クロスフローファン２２は、回転軸と交わる方向に空気流を生成し、室内の空気を室内機２内に吸い込ませるとともに、室内熱交換器２１との間で熱交換を行った空気を室内に吹き出させる。クロスフローファン２２は室内ファンモータ２３によって回転駆動される。室内ファンモータ２３は後述する制御部８と接続されており、制御部８からの制御信号に応じて動作する。
【００３８】
なお、室内機２には、各種センサが取り付けられている。各種センサには、吸込み温度センサ２５や室内湿度センサ２６などが含まれる。吸込み温度センサ２５は、室内機２に吸込まれる室内の空気の温度を検知し、室内湿度センサ２６は、室内の湿度を検知する。ここで室内湿度センサ２６が検知する湿度は相対湿度である。図３に示すように、吸込み温度センサ２５および室内湿度センサ２６はそれぞれ制御部８に接続されており、吸込み温度センサ２５および室内湿度センサ２６で検知された値は制御部８に送られる。
【００３９】
（ｉｉ）室外空調ユニット５
室外空調ユニット５には、主として、圧縮機５１と、プロペラファン５２と、室外ファンモータ５３と、室外熱交換器５４と、四路切換弁５５と、電動弁５６と、液側閉鎖弁５７と、ガス側閉鎖弁５８とが設けられている。圧縮機５１は、インバータ制御によって能力調整が可能な機械であり、低圧のガス冷媒を吸い込み、吸い込んだガス冷媒を圧縮して高圧のガス冷媒にして吐出する。プロペラファン５２は、室外ファンモータ５３により回転駆動され、外気をケーシング内に吸い込む。
【００４０】
室外熱交換器５４は、室外熱交換器５４の内部を流れる冷媒と、プロペラファン５２により室外空調ユニット５内に吸い込まれた外気との間で熱交換を行わせる。室外熱交換器５４は、その一端に四路切換弁５５が接続され、他端には電動弁５６が接続されている。四路切換弁５５は、冷房／暖房モードに基づき、冷媒回路を切り換える。室外熱交換器５４内を流れる冷媒は、冷房モードの運転時（四路切換弁５５が実線の状態にある場合）には放熱し、暖房モードの運転時（四路切換弁５５が破線の状態にある場合）には吸熱する。電動弁５６は、弁の開度を変動させて室外熱交換器５４に流れる冷媒の量を制御する。液側閉鎖弁５７およびガス側閉鎖弁５８は、冷媒回路の開閉を行う。室外ファンモータ５３、圧縮機５１、四路切換弁５５、電動弁５６、液側閉鎖弁５７、およびガス側閉鎖弁５８等は、図３に示すように、制御部８と接続されており、制御部８からの制御信号に応じて動作する。
【００４１】
さらに、室外空調ユニット５には、図３に示すような外気温センサ５９を含む各種センサが備えられている。外気温センサ５９は、外気温を検知する。外気温センサ５９は、後述する制御部８に接続されており、外気温センサ５９で検知された値は制御部８に送られる。
【００４２】
（１−２）加湿ユニット４
次に、加湿ユニット４の構成について説明する。加湿ユニット４は、室外から取り込まれた空気を加湿して室内へと供給する。加湿ユニット４は、図２に示すように、主として、吸加湿ロータ４１と、ロータ駆動モータ４２と、ヒータ４３と、ラジアルファン４４と、ラジアルファンモータ４５と、吸着用ファン４６と、吸着用ファンモータ４７と、を備えている。
【００４３】
吸加湿ロータ４１は、概ね円板形状を有するハニカム構造のセラミックロータであり、空気が容易に通過できる構造となっている。吸加湿ロータ４１には、ゼオライト、シリカゲル、あるいはアルミナ等の吸着剤が担持されている。これにより、吸加湿ロータ４１は、接触する空気中に含まれる水分を吸着し、加熱によって水分を離脱する。吸加湿ロータ４１は、ロータ駆動モータ４２により回転駆動される。ヒータ４３は、加湿時に、室外から取り込まれて吸加湿ロータ４１へ送られる空気を加熱する。ラジアルファン４４は、吸加湿ロータ４１の側方に配置されており、ラジアルファンモータ４５により駆動される。ラジアルファン４４は、室外の空気を加湿ユニット４内に導入し、室内へ送られる空気の流れ（図２のＡ１）を生成する。ラジアルファン４４によって生成される空気の流れは、給気口４０ａから加湿ユニット４内に導入され、吸加湿ロータ４１を通過した後、給気管６を介して室内機２へと送られる。吸着用ファン４６は、吸着用ファンモータ４７によって回転駆動される。吸着用ファン４６は、吸込み口４０ｂから加湿ユニット４のケーシング内に吸込まれた空気を、吹出し口４０ｃからケーシング外に排出するように空気の流れを生成する（図２のＡ２）。吸着用空気の吸込み口４０ｂから吸込まれた空気は、吸加湿ロータ４１によって水分が吸着され、その後吹出し口４０ｃから室外に排出される。
【００４４】
なお、図３に示すように、ロータ駆動モータ４２、ヒータ４３、ラジアルファンモータ４５、および吸着用ファンモータ４７は、後述する制御部８に接続されており、制御部８からの制御信号に応じて動作する。すなわち、加湿が必要な場合には、ヒータ４３をオンにし、給気口４０ａから取り込んだ空気をヒータで熱する。ヒータで熱された空気は、吸加湿ロータ４１から離脱した水分を含んで給気管６へと送られる。
【００４５】
（１−３）制御部８
次に、空気調和機１の制御を行う制御部８について、図３を用いて説明する。
【００４６】
制御部８は、ＣＰＵ及びメモリからなるマイクロコンピュータであって、室内機２や、室外機３に含まれる室外空調ユニット５および加湿ユニット４に配置される電装品箱等に分かれて設けられている。制御部８には、室内機２、室外空調ユニット５、および加湿ユニット４の各機器が接続されており、制御部８は、これらの機器との間で信号の授受を行う。
【００４７】
制御部８は、主として、受付部８ａ、調整部８ｂと、検出部８ｃと、判断部８ｄとを有する。受付部８ａは、図１で示す受信部２４で受信した利用者からの要求を受け付ける。詳細には、受付部８ａは、利用者によってリモコン（図示せず）で設定された運転モード、温度、湿度、風向き、および風量等の要求を受信部２４を介して受け付ける。
【００４８】
調整部８ｂは、受付部８ａで受け付けた利用者の要求に応じて、温度、湿度、風向き、および風量を調整する。詳細には、設定された運転モード、温度、湿度、風向き、および風量に基づき、目標値を設定する。例えば、受付部８ａで受け付けた運転モードが、暖房運転モード、冷房運転モード、または除湿運転モードであった場合には、利用者が所望する温度、湿度、風向き、および風量を目標値として空気調和機１の制御が行われる。すなわち、調整部８ｂが設定した目標値に応じて、室外空調ユニット５に備えられた圧縮機５１の周波数、電動弁５６の開度、フラップ（図示せず）の角度、および室内ファンモータ２３の回転数等が変動し、さらに、加湿ユニット４に備えられたヒータ４３のＯＮ／ＯＦＦ制御、ロータ駆動モータ４２等の制御が行われる。このようにして、温度、湿度、風向き、風量の調節を行い、室内環境は利用者が設定した温度等になるよう空気調和機１は制御される。一方、受付部８ａで受け付けた運転モードが、省エネ自動運転モードであった場合には、調整部８ｂは、省エネルギー性および快適性が確保できるように予め設定された温度、湿度、風量、風向き等を目標値として設定する。目標値は、暖房期または冷房期でそれぞれ設定され、図４に示すように、吸込み温度センサ２５で検知された室温と、外気温センサ５９で検知された外気温とに基づいて、暖房運転または冷房運転のいずれを行うかが決定される。なお、制御部８はタイマー（図示せず）を備え、タイマーで計測する所定時間毎に外気温および室温を検知し、検知した外気温および室温に応じて省エネ自動運転モードの暖房運転または冷房運転の見直しを行う。
【００４９】
また、本実施形態では、快適性を確保するために、ＰＭＶ値（快適性を示す温熱感指標）が０付近になるような温度を調整部８ｂが目標温度値として設定する。なお、ＰＭＶ値は室温、相対湿度、平均輻射温度、着衣量、活動量、および風量などのパラメータを用いて決定される値であるが、本実施形態では、温度および湿度以外のパラメータについては基準値を用いて制御を行っている。また、省エネルギー運転を実現するために、調整部８ｂは、暖房時には目標温度値−０．５℃、冷房時には目標温度値＋０．５℃の値をそれぞれ目標温度値として補正する。
【００５０】
詳細には、省エネ自動運転モードが選択された場合の暖房運転では、ＰＭＶ値で最も快適性の得られる値を、室温２２．５℃、湿度５０％とした場合、本実施形態に係る空気調和機１では、調整部８ｂが、目標室温値を２２．０℃、目標湿度値を５０％としてそれぞれ設定する。反対に、冷房運転では、ＰＭＶ値で最も快適性の得られる値は、室温２７．５℃、湿度５０％であるが、本実施形態に係る空気調和機１では、調整部８ｂは、目標室温値を２８．０℃、目標湿度値を５０％にそれぞれ設定する。調整部８ｂが目標値を設定すると、室内機２、室外空調ユニット５、および加湿ユニット４の各機器に制御信号を出力し、各機器が当該目標値に応じた動作を開始する。
【００５１】
さらに、調整部８ｂは、後述する判断部８ｄによる判断結果に基づき、上述の目標温度値を変動させる。詳細については、判断部８ｄの説明の際に併せて説明する。
【００５２】
検出部８ｃは、吸込み温度センサ２５および室内湿度センサ２６で得られた値を検出する。
【００５３】
判断部８ｄは、検出部８ｃで検出した値が上述の目標温度値および目標湿度値に達したか否かを判断する。ここで、省エネ自動運転モードが選択されている場合に、検出部８ｃで検出される吸込み温度センサ２５の値が目標温度値に達していると判断されたにもかかわらず、室内湿度センサ２６の値が目標湿度値に達していないと判断された場合には、調整部８ｂが目標温度値を１℃補正する。すなわち、暖房運転時には目標温度値＋１℃、冷房運転時には目標温度値−１℃を目標温度値（超過温度値に相当）として設定する。詳細には、暖房運転時には、先に設定した目標温度値である２２．０℃を２３．０℃に補正し、冷房運転時には先に設定した目標値である２８．０℃を２７．０℃に設定する。このように目標温度値を補正することで、湿度が変動し、室内環境の快適性を早期に確保することができる。
【００５４】
次に、図５Ａおよび図５Ｂを用いて、この際に調整部８ｂが行う目標温度値の補正と、目標温度値の補正に伴う湿度の変化について説明する。図５Ａおよび図５Ｂは、推奨湿度をシフトさせる温度を示す。図５Ａに示すＤＨＡ＿Ｗ１とＤＨＡ＿Ｗ２、および図５Ｂに示すＤＨＡ＿Ｃ１とＤＨＡ＿Ｃ２は、それぞれ、暖房時または冷房時に推奨する湿度ゾーンにおける判定基準湿度を示し、ＤＤＨは、湿度ゾーン偏差を示す。例えば、暖房運転について説明すると（図５Ａ参照）、運転開始時、室内の湿度がＤＨＡ＿Ｗ２の実線の位置であるとする。その場合、目標温度値を１．０℃補正することで湿度はＤＨＡ＿Ｗ１の実線の位置まで上昇する。また、湿度がＤＨＡ＿Ｗ１の実線の位置からＤＨＡ＿Ｗ２の実線の位置まで下降した場合には、加湿ユニット４を動作させて加湿しながら、温度を１．０℃上昇させる。一方、冷房運転（図５Ｂ参照）では、運転開始時、室内の湿度がＤＨＡ＿Ｃ２の実線の位置であるとする。その場合、目標温度値を１．０℃補正することで湿度はＤＨＡ＿Ｃ１の実線の位置まで下降する。また、湿度がＤＨＡ＿Ｃ１の実線の位置からＤＨＡ＿Ｃ２の実線の位置に上昇した場合には、温度を１．０℃下降させる。このように温度をシフトさせることにより推奨する湿度を得ることができる。
【００５５】
その後、検出部８ｃで検出する湿度が目標湿度値に到達したと判断部８ｄが判断すると、調整部８ｂは目標温度値を補正前の目標温度値に戻す。具体的には、省エネ自動運転モードで暖房運転が行われている場合、調整部８ｂは、目標温度値を２３℃から２２℃に設定し、冷房運転が行われている場合、目標温度値を２７℃から２８℃に設定する。
【００５６】
＜処理の流れ＞
次に、図６を用いて、本実施形態に係る空気調和機１が省エネ自動運転モードの制御を行う際の処理の流れを説明する。まず、省エネ自動運転モードで暖房運転が行われた際の処理の流れを詳細に説明する。
【００５７】
受付部８ａで利用者からの省エネ自動運転の要求を受け付けると（ステップＳ１）、検出部８ｃで検出した吸込み温度センサ２５および外気温センサ５９の値に基づき暖房運転が開始される（ステップＳ２）。その際、調整部８ｂは、予め定められた温度値および湿度値を目標温度値および目標湿度値として設定し、これらの目標値に基づいて室外空調ユニット５の圧縮機５１等や加湿ユニット４のラジアルファンモータ４５等を含む各機器が動作し、暖房運転（加湿暖房運転）が行われる。その後、判断部８ｄは、検出部８ｃが検出した吸込み温度センサ２５の値が、目標温度値に到達したか否かを判断する（ステップＳ３）。ここで、吸込み温度センサ２５で得られる値が目標温度値に到達すると、判断部８ｄは、検出部８ｃが検出する室内湿度センサ２６の値が目標湿度値に到達したか否かを判断する（ステップＳ４）。ここで、室内湿度センサ２６の値が、目標湿度値に到達していない場合、調整部８ｂは目標温度値を補正し、１℃高い温度に設定する（ステップＳ５）。その後、検出部８ｃが検出する室内湿度センサ２６の値が目標湿度値に到達したと判断すると（ステップＳ６）、調整部８ｂは、目標温度値を補正前の目標温度値に戻す（ステップＳ７）。
【００５８】
次に、省エネ自動運転モードで冷房運転が行われた際の処理の流れを詳細に説明する。
【００５９】
受付部８ａで利用者からの省エネ自動運転の要求を受け付けると（ステップＳ１１）、検出部８ｃで検出した吸込み温度センサ２５および外気温センサ５９の値に基づき冷房運転が開始される（ステップＳ１２）。その際、調整部８ｂは、予め定められた温度値および湿度値を目標温度値および目標湿度値として設定し、これらの目標値に基づいて室外空調ユニット５の圧縮機５１等を含む各機器が動作し、冷房運転（冷房除湿運転）が行われる。その後、判断部８ｄは、検出部８ｃが検出した吸込み温度センサ２５の値が、目標温度値に到達したか否かを判断する（ステップＳ１３）。ここで、吸込み温度センサ２５で得られる値が目標温度値に到達すると、判断部８ｄは、検出部８ｃが検出する室内湿度センサ２６の値が目標湿度値に到達したか否かを判断する（ステップＳ１４）。ここで、室内湿度センサ２６の値が、目標湿度値に到達していない場合、調整部８ｂは目標温度値を補正し、１℃低い温度に設定する（ステップＳ１５）。その後、検出部８ｃが検出する室内湿度センサ２６の値が目標湿度値に到達したと判断すると（ステップＳ１６）、調整部８ｂは、目標温度値を補正前の目標温度値に戻す（ステップＳ１７）。
【００６０】
＜特徴＞
（１）本実施形態に係る空気調和機１には、複数の運転モードが備えられているが、複数の運転モードのうち省エネ自動運転モードを選択することにより、省エネルギー性および快適性を考慮した温度、湿度、風量、風向き等が自動的に選択され、利用者にとって快適な室内環境が運転開始後早期に実現される。また、本実施形態に係る空気調和機１は、室内の湿度が目標湿度値に到達するまでの時間が、温度が目標温度値に到達するまでの時間と比べて長時間を要することに鑑み、湿度が目標湿度値に到達するまでは目標温度値が補正される。そのため、利用者は室内における快適性を早期に得ることができる。また、省エネルギーを考慮するために、室内湿度が目標湿度値に到達した後は、目標温度値を補正前の目標温度値に戻す。従って、快適性および省エネルギー性の双方を満足させる制御を行うことができる。
【００６１】
なお、本実施形態に係る空気調和機１では、省エネルギー効果を得るため、冷房運転および暖房運転時は、ＰＭＶ値が０となる室温を目標温度値とせず、冷房運転時はＰＭＶ値が０となる室温に０．５℃加えた値、暖房運転時はＰＭＶ値が０となる室温から０．５℃引いた値を目標温度値として制御が行われている。そのため、湿度が所望の湿度に達した場合に目標温度値として設定された値に早期に戻すことが、省エネルギー性かつ快適性を追求する上で好ましい。
【００６２】
（２）本実施形態に係る空気調和機１は、利用者がリモコン（図示せず）で上述の省エネ自動運転モードを選択するだけで、快適性および省エネルギー性を考慮した運転を実行させることができる。
【００６３】
＜変形例＞
（１）本実施形態では、室外機３には室外空調ユニット５と、加湿ユニット４であったが、加湿ユニット４に代えて、給気・加湿ユニットを用いても構わない。給気・加湿ユニットを用いた場合は、室外から取り込まれた空気を加湿せずに室内へと供給する給気運転と、室外から取り込まれた空気を加湿して室内へと供給する加湿運転とが行われる。この場合、加湿を伴わない給気運転時には、ヒータ４３はオフし、給気口４０ａから取り込まれた空気はそのままの状態で給気管６へと送られる。この場合にも本実施形態に係る空気調和機１と同様の効果を得ることができる。
【００６４】
（２）本実施形態では、省エネ自動運転モードが選択された際、吸込み温度センサ２５および外気温センサ５９で得られる値に基づいて暖房運転あるいは冷房運転を判断したが、吸込み温度センサ２５のみ、あるいは外気温センサ５９のみで得られる値に基づいて決定されてもよい。
【００６５】
（３）本実施形態では、省エネ自動運転モードの処理の流れにおいて、ステップＳ３およびステップＳ１３で室内温度が目標温度値に到達しているか否かを判断した後、ステップＳ４およびステップＳ１４で室内湿度が目標湿度値に到達しているか否かを判断し、室内温度が目標温度値に到達しているにもかかわらず室内湿度が到達していない場合を示したが、室内温度が湿度に比べて変動し難いような部屋に設置される空気調和機１では、ステップＳ３およびステップＳ１３とステップＳ４およびステップＳ１４との順番を入れ替えても構わない。すなわち、ステップＳ３およびステップＳ１３において、室内の湿度が目標湿度値に到達しているか否かを判断し、到達していた場合にステップＳ４およびステップＳ１４で室内の温度が目標温度値に到達しているか否かを判断し、目標温度値に室内温度が到達していない場合に、ステップＳ５およびステップＳ１５において湿度を変動させることにより快適性を得られる室内環境を生成しても構わない。
【００６６】
また、温度が変動し難い部屋に設置される空気調和機１について、風向きや風量などの気流を制御することにより快適性を確保してもよい。
【００６７】
（４）本実施形態における省エネ自動運転モードでは、快適性を得られる値として予めＰＭＶ値に基づいて温度および湿度を決定していたが、他の値に基づいて快適性を得られる値を決定しても構わない。例えば、ＳＥＴ（標準有効温度）等の値に基づいて、目標値を設定しても構わない。
【００６８】
（５）本実施形態では、室内湿度センサ２６によって得られた湿度と目標湿度値とを比較したが、冷房時または除湿時には、室内湿度センサ２６によって得られた湿度に代えて、室内湿度を推定する推定部によって推定された湿度を用いてもよい。具体的には、特開２００３―１３９３７１号に記載されるように、室内湿度センサを有さない空気調和機において、室内熱交換器の温度を検知するセンサを用いて室内熱交換器の温度を検知し、検知された室内熱交換器の温度を用いて室内の湿度を推定する。これにより、空気調和機１が室内湿度センサ２６を備えていない場合であっても、本発明に係る空気調和機の制御を行うことができ、湿度を考慮した快適な空調環境を実現することができる。
【００６９】
（６）本実施形態に係る室内機２がさらに輻射センサを備えていてもよい。この場合、輻射センサにより体表面温度を検知することにより、輻射温度、利用者の活動量、着衣量等の影響を考慮に入れた室内の温度、湿度および気流の制御が可能になり、より快適な室内環境を実現することができる。
【００７０】
（７）本実施形態では、相対湿度を用いて空気調和機１の制御が行われたが、絶対湿度を用いた制御を行っても構わない。
【００７１】
（８）本実施形態では、省エネ運転モードが選択された場合には、予め定められた目標温度値および目標湿度値を使用するが、外気温度から輻射温度を推測して、その影響を考慮に入れた室内の温度、湿度および気流の制御を行っても構わない。
【００７２】
（９）本実施形態に係る室内機２がさらに部屋の形態(部屋の断熱性、窓面積、ドアの数などの設定)を設定する機能を備えていてもよい。この場合、部屋の形態と外気温度から輻射温度を推測して、その影響を考慮に入れた室内の温度、湿度および気流の制御が可能になり、より快適な室内環境を実現することができる。
【００７３】
（１０）本実施形態では、室温および湿度を調整できる空気調和機を用いたが、湿度を調整する機能をもたない空気調和機を用い、検知した湿度に応じて温度を補正する形態であってもかまわない。
【産業上の利用可能性】
【００７４】
本発明は、温度および湿度の双方に基づく体感の快適性を早期に得ることができる空気調和機として有用である。
【符号の説明】
【００７５】
１  空気調和機
２  室内機
３  室外機
４  加湿ユニット
５  室外空調ユニット
６  給気管
３１，３２  冷媒配管
【先行技術文献】
【特許文献】
【００７６】
【特許文献１】特開平４−３２０７５０号公報
【図１】
2010121933.tif 000003
【図２】
2010121933.tif 000004
【図３】
2010121933.tif 000005
【図４】
2010121933.tif 000006
【図５Ａ】
2010121933.tif 000007
【図５Ｂ】
2010121933.tif 000008
【図６Ａ】
2010121933.tif 000009
【図６Ｂ】
2010121933.tif 000010